(57)【要約】 【課題】  屋外で風雨に晒されても破損する事の無い、十分な強度を有する人工の庭木を、自宅で簡単に組み立てる事が出来る様にキット化し、流通に適しするようにして、ホームセンターやネット通販等で販売可能にする。【解決手段】  適宜サイズに分割された支柱を数個連結して固定支柱を地面に立てて、これに、樹皮表面に似せた模様を刻印彩色又は印刷した帯状のビニールシートを巻き付けて樹幹を造形する。この帯状のビニールシートを固定支柱に直接巻き付けるのでは無く、この支柱に取り付けた腕木に巻き付けて固定する。巻き付ける際には、腕木の先端部にある枝木を差し込み固定する差込穴と、帯状のビニールシートの差込穴を合致させてる巻き付け、この差し込み穴に、プラスチック等で成形された人工の枝木を差し込み固定し、人工樹木を完成させる。【選択図】  図３
2010275645.tif 000002
【特許請求の範囲】
【請求項１】
適宜長さに分割した支柱を多数固連結して、これを地面に立てた固定支柱に、帯状樹皮シートの固定手段と、人造枝葉の固定手段とを先端部に有する腕木を放射状に取付け、この腕木に樹皮表面に似せた模様を刻印彩色又は印刷した帯状の樹皮シートを巻き付け固定して樹幹を造形し、これにプラスチック等で成形された人工の枝葉を固定してなる人造樹木。
【請求項２】
適宜長さに分割した支柱を多数固連結して、これを地面に立てた固定支柱に、樹皮ブロックの固定手段と、人造枝葉の固定手段とを先端部に有する腕木を放射状に取付け、この腕木に樹皮表面に似せた模様を刻印彩色又は印刷した円筒状樹皮ブロック又は盾状樹皮ブロックを固定して樹幹を造形し、これにプラスチック等で成形された人工の枝葉を固定してなる人造樹木。
【請求項３】
支柱が入れ子構造である請求項１〜請求項２記載の人造樹木。  
【請求項４】
腕木及び固定具が支柱に折り畳み可能に取り付けられてなる請求項１〜請求項３記載の人造樹木。
【発明の詳細な説明】
【技術分野】
【０００１】
本発明は庭木や並木等の樹木を生木ではなく、人工物により作る疑似樹木に関する。
【背景技術】
【０００２】
住宅に庭木がある事は、景観上好ましく、住人にとっては庭木を植樹する事を願望するところであるが、庭木を育てるには長い年月がかかり、また成木を植樹するにしても運搬上の困難があるため、都市部の住宅等では成長した庭木を育成するには困難であり、人造の樹木があれば便利である。
【０００３】
観葉植物等の屋内に飾る軽量な造木は、大いに普及しているが、比較的樹幹の太い庭木ザイズの造木では、屋外で風雨に晒され続ける環境下に於いては、強度的な面から長期間の実用には耐えられず、破損した場合には破片等が、人家に被害を与える恐れがあるため、殆ど普及していなかった。   
【０００４】
観葉植物以外では、僅かに遊園地等の娯楽施設に於いて、金属製のポールに、樹皮状に形成したものを直接取付て樹幹を構成してなる人工の椰子の木等が存在しているが、コスト面や流通面から、庭木として一般に普及するには至っていない。
【発明の開示】
【発明が解決しようとする課題】
【０００５】
本発明はこの点に鑑みなされたもので、樹幹及び枝幹や枝葉共に分な強度を有し、長期間風雨に晒されても破損せず、直径が比較的大きな庭木として一般的な家屋の屋外での放置に耐え、且つ安価でコンパクトで簡単に組み立てる事が可能な人工樹木を実現するものである。
【課題を解決するための手段】
【０００６】
数本の適宜長さに分割した支柱を連結して地面に固定し、この支柱に放射状に腕木を着脱可能に取付け、この腕木に樹皮に似せて表面に凹凸模様を刻印し彩色又は印刷したビニール製の帯状の疑似樹皮シートをこの支柱に螺旋状に巻き付けて樹幹を造形する。
【０００７】
または、樹皮に似せて表面に凹凸模様を刻印し彩色又は印刷したプラスチック製の盾状の疑似樹皮ブロックや、樹幹を輪切状にした円筒状の疑似樹幹樹皮ブロックを、この支柱に固定して樹幹を造形する。
【０００８】
この様にして造形されたこの樹幹に、同じく人造の枝と人造の葉っぱで作られた枝葉を、差し込み固定する事により、人造樹木が形成されるのである。
【０００９】
ビニール製の樹皮シートに於いては帯状を呈し、これを樹皮ブロックに於いては、又は円弧盾状のものを支柱に固定して樹幹を造形する。
【発明の効果】
【００１０】
数十センチに分割されたパイプ状の連結式支柱を結合して地面に立てて、これに腕木を取り付け、この腕木に樹皮に似た表面を有する帯状のビニールシートや、プラスチック片をネジ等で係止する事により樹幹が造形されるのであり、従来の様に金属製のポールの様に重厚長大ではなく軽量で簡単に組み立てて作る事が可能となる。
【００１１】
これに、同じくビニールや、プラスチックで形成された、人工の枝木を差し込み固定する事により、軽量で丈夫な人工樹木が簡単に完成するのである。
【００１２】
腕木の長さと支柱の連結数を任意に変化出来るので、高さと太さが任意に調節出来て、更に、樹皮表面の形状、枝木の形状等が違うものを簡単に作れるので多採なバリエーションの人工樹木を庭木として実現することが出来るのである。
【００１３】
上記した連結式支柱、腕木、疑似樹皮ブロック又は疑似樹皮ブロックシート、人工の枝木を部品化し、組み立てキットにして流通に適したサイズの梱包を行い、ホームセンターやネット販売する事により、安価で簡単に一般家庭での庭木を実現出来るのである。
【発明を実施するための最良の形態】
【００１４】
以下図を使い、連結式の支柱１００を多数個結合して地面に立てた支柱に、先端部に樹皮固定穴１５４と枝木差込穴１５６を有する腕木１５０を取り付け、これに樹皮に似せて表面に凹凸が刻印され彩色がなされた帯状のビニールシート２００（以下疑似樹皮シート２００と称す）を巻き付けてなる樹幹を構成する本発明の実施例について説明する。
【００１５】
円周面に腕木１５０を嵌合固定するための腕木取付穴１０５を有する数本の支柱１００同士は連結接続されて、アンカーＡで地面に固定された支柱固定具５００に差し込まれて、固定され、これにより、図１に示す様に、風雨に晒されても安定的に立ち続ける土台となる固定支柱が地面に屹立する。
【００１６】
この支柱１００に、図２に示す様に、腕木１５０を放射状に取り付るのであるが、この各腕木１５０の長さを、支柱１００の上部に行くに従って徐々に短かくしてゆけば、、疑似樹皮シート２００が巻き付けられた際には、下が太く、上が細くなって、本物樹木のの樹幹の様な形状となる。
【００１７】
また、この腕木１５０の長さを調整する事で、樹幹全体の直径を調節する事が出来るので、色々なサイズの人造樹木を構成する事が可能になるのである。
【００１８】
図３は疑似樹皮シート２００を螺旋状に巻き付けた例であるが、説明の明快化のため、彩色せず透明である疑似樹皮シート２００を巻き付けた図である。勿論、実用に際しては樹皮模様を刻印し彩色したものを巻き付ける。巻き付けが終わりネジで固定した後は、上端部に防水キャップ１８０をかぶせる。  
【００１９】
図４に示すように、腕木１５０の先端部の樹皮固定穴１５４に、巻き付けられたシートがネジで固定されるのであるが、固定する際には疑似樹皮シート２００には枝木３００が通る枝木差込穴２０５と枝木差込穴１５６とを合致させて固定する。
【００２０】
この様にして造形された樹幹には、枝木差込穴１５６が露出するので、これにビニールで作られた葉っぱ３５５と子枝３５０で構成された枝木３００を差込嵌合させて図５示す様に人造樹木が完成するのであるが、ネジ止めしたり、接着剤で接着して、より強固に枝木３００を固定する。
【００２１】
疑似樹皮を帯状にして巻き付けるのでは無く、盾状のブロックにして取り付けても同様に簡単に樹幹を造形する事が可能であり、図６はその様に疑似樹皮を盾状樹皮ブロック２５０にして支柱１００に取り付けた例である。また、疑似樹皮を輪切状にした、円柱状ブロックを固定しても同様に簡単に樹幹を造形する事が可能になる。
【００２２】
図７は支柱１００が入れ子構造であり、支柱固定具５００が折り畳み可能に取付られた本発明の図である。この様な本発明では図示する様に、支柱固定具５００を拡げて地面に固定し、全体を伸張させたてネジ止めするだけて、簡単に支柱が地面から屹立するので、組み立て作業がより簡単になる。
【図面の簡単な説明】
【００２３】
【図１】連結支柱を地面に固定した斜視図。
【図２】支柱に腕木を取り付けている斜視図。
【図３】樹皮シートを支柱の腕木に巻き付け固定して樹幹を造形している斜視図。
【図４】シートを巻き付けて、枝木を差し込み固定している断面図。
【図５】樹幹に枝木を差し込みほぼ完成した斜視図。
【図６】盾状の樹皮ブロックシートを支柱の腕木に固定して樹幹を造形している斜視図。
【図７】支柱が入れ子構造で、固定具と腕木が折り畳み可能に取り付けられた斜視図。
【符号の説明】
【００２４】
１００  連結支柱
１０５  腕木差込穴
１１３  連結突起
１１５  連結結合穴                
１５０  腕木
１５４  樹皮固定穴
１５６  枝木差込穴
１８０  防水キャップ
２００  帯状樹皮シート
２０５  枝木差込穴
２５０  盾状樹皮ブロック
３００  枝木
３５０  子枝 
３５５  葉っぱ
５００  支柱固定具
Ａ      固定アンカー
Ｂ      固定ボルト
【図１】
2010275645.tif 000003
【図２】
2010275645.tif 000004
【図３】
2010275645.tif 000005
【図４】
2010275645.tif 000006
【図５】
2010275645.tif 000007
【図６】
2010275645.tif 000008
【図７】
2010275645.tif 000009